(57)【要約】【課題】  リモコンを直接操作せずに、簡単な動作で被制御機器の制御ができる無線リモコンシステムの提供。【解決手段】リモコン信号５を無線送出する送信部２５を有する送信器２と、リモコン信号５を受信する受信器３を有し、受信器３で受信したリモコン信号５に従って動作する被制御機器４と、を備えた無線リモコンシステム１において、送信器２は、検査光６を送出する検査光発光部２２と、検査光６を受光する検査光受光部２３と、検査光６が遮断され受光できなくなると被制御機器４を制御するためのリモコン信号５を無線送出する送信部２５と、を備えたものである。【選択図】図１
2005277829.tif 000002
【特許請求の範囲】
【請求項１】
リモコン信号を無線送出する送信部を有する送信器と、該リモコン信号を受信する受信器を有し、該受信器で受信した前記リモコン信号に従って動作する被制御機器と、を備えた無線リモコンシステムにおいて、
前記送信器は、検査光を送出する検査光発光部と、該検査光を受光する検査光受光部と、該検査光が遮断され受光できなくなると前記被制御機器を制御するためのリモコン信号を無線送出する送信部を備えてなる無線リモコンシステム。
【請求項２】
前記送信器は、複数の検査光を送出する検査光発光部と該複数の検査光を受光するための検査光受光部とを有し、前記検査光受光部は前記検査光の内の一つ又は複数が遮断され受光できない場合、検査光の遮断に応じて前記被制御機器を制御するためのリモコン信号を無線送出する送信部とを備えてなることを特徴とする請求項１記載の無線リモコンシステム。
【請求項３】
前記送信器は、所定時間内の検査光の遮断回数に応じて前記被制御機器の動作を制御するためのリモコン信号を無線送出する送信部を備えてなるものであることを特徴とする請求項１又は請求項２記載の無線リモコンシステム。
【請求項４】
前記送信器は、検査光が遮断された時間に応じて前記被制御機器の動作を制御するためのリモコン信号を無線送出する送信部を備えてなるものであることを特徴とする請求項１乃至請求項３いずれかに記載の無線リモコンシステム。
【請求項５】
人体を検知するための人体検出器を有し、該人体検出器が人体を検知しない場合、前記送信器は前記検査光の送出を停止すると共に、前記被制御機器の動作停止させる旨のリモコン信号を送出し、前記受信器は該リモコン信号を受信すると、前記被制御機器の動作を停止させ、前記人体検出器が人体を検知した場合、前記送信器は検査光の送出を再開する一方で、前記被制御機器の動作再開させる旨のリモコン信号を送出し、受信器は同リモコン信号を受信すると、前記被制御機器の動作再開させることを特徴とする請求項１乃至請求項４いずれかに記載の無線リモコンシステム。
【請求項６】
人不在時に動作するセキュリティ用途機器と人体検出器とを有し、該人体検出器が人体を検知しない場合、送信器は検査光の送出を停止すると共に、該セキュリティ用途機器を動作開始させる旨のリモコン信号を送出し、前記受信器は該リモコン信号を受信すると、前記セキュリティ途機器を動作開始させることを特徴とする請求項１乃至請求項４いずれかに記載の無線リモコンシステム。
【発明の詳細な説明】
【技術分野】
【０００１】
本発明は、無線リモコンシステムに関するものである。
【背景技術】
【０００２】
従来からの無線リモコンシステムとしては、例えば、特開２０００−０４５３５５号公報に示すようなものがある。この無線リモコンシステムは、図１３に示すように、衛生洗浄装置１００並びに便器に着座した使用者の人体に向けて赤外線を発する送信部１１０と、着座した使用者の人体から反射した赤外線反射光を受光する受光部１３０とを有する。送信部１１０は、上記の赤外線発光用の発光ダイオード１１１と、電流増幅用のトランジスタ１１２と、そのベースと出力端子ＰＯ１に接続された抵抗１１４とを有する。このリモコン１０１は、受光部１３０を用いた人体検知用の赤外線発光と、衛生洗浄装置１００を遠隔操作する際のリモコン用の赤外線発光とに、送信部１１０の発光ダイオード１１１を共用して発光制御するものである。
【０００３】
ところで、最近、手が汚れている人、手がふさがっている人、寝たきりであまり動けない人等でも簡単な操作にて使える無線リモコンシステムへの要望が高まってきている。しかし、この無線リモコンシステムは、送信部１１０のリモコンを操作する場合、手（指）でボタンを押さなければならない場合があり、手が汚れている場合は扱いづらい場合があった。
【特許文献１】特開２０００−０４５３５５号公報
【発明の開示】
【発明が解決しようとする課題】
【０００４】
本願発明は、上記背景技術に鑑みて発明されたものであり、その課題は、リモコンを直接操作せずに、簡単な動作で被制御機器の制御ができる無線リモコンシステムを提供することである。
【課題を解決するための手段】
【０００５】
リモコン信号を無線送出する送信部を有する送信器と、該リモコン信号を受信する受信器を有し、該受信器で受信した前記リモコン信号に従って動作する被制御機器と、を備えた無線リモコンシステムにおいて、前記送信器は、検査光を送出する検査光発光部と、該検査光が遮断され受光できなくなると前記被制御機器を制御するためのリモコン信号を無線送出する送信部と、を備えてなるものである。
【０００６】
また、前記送信器は、複数の検査光を送出する発光部と該複数の検査光受光するための受光部とを有し、前記受光部は前記検査光の内の一つ又は複数が遮断され受光できない場合、検査光の遮断に応じて前記被制御機器を制御するためのリモコン信号を無線送出する送信器を備えることが好ましい。
【０００７】
また、前記送信器は、複数の検査光を送出する検査光発光部と該複数の検査光を受光するための検査光受光部とを有し、前記検査光受光部は前記検査光の内の一つ又は複数が遮断され受光できない場合、検査光の遮断に応じて前記被制御機器を制御するためのリモコン信号を無線送出する送信部を備えることが好ましい。
【０００８】
また、人体を検知するための人体検出器を有し、該人体検出器が人体を検知しない場合、前記送信器は前記検査光の送出を停止すると共に、前記被制御機器の動作停止させる旨のリモコン信号を送出し、前記受信器は該リモコン信号を受信すると、前記被制御機器の動作を停止させ、前記人体検出器が人体を検知した場合、前記送信器は検査光の送出を再開する一方で、前記被制御機器の動作再開させる旨のリモコン信号を送出し、受信器は同リモコン信号を受信すると、前記被制御機器の動作再開させることが好ましい。
【０００９】
また、人不在時に動作するセキュリティ用途機器と人体検出器とを有し、該人体検出器が人体を検知しない場合、送信器は検査光の送出を停止すると共に、セキュリティ用途機器を動作開始させる旨のリモコン信号を送出し、前記受信器は該リモコン信号を受信すると、前記セキュリティ途機器を動作開始させることが好ましい。
【発明の効果】
【００１０】
本願発明の無線リモコンシステムにおいては、受信器がリモコン信号を受信できなくなると被制御機器を制御するためのリモコン信号を無線送出するので、手が使えないときでも制御機器を制御することが可能であり、送信器はある一定の場所に固定して使用するため、リモコンの紛失が防げ、送信器及び受信器は同じ場所である必要がないため、レイアウト性が増し、更に、送信器の発光光路上に、反射する障害物を設置しておけば、その障害物と送信器とを結ぶ上記光路上に手をかざすなりして光を遮った場合にのみリモコン信号を送出すればよいので、送信器と受信器との間の光路を常に空けておく必要がないのでで、送信器と受信器との間を比較的気軽に通過することができる。
【００１１】
更に、遮られた光路に応じて、受信器経由で被制御機器の制御をさせるようにしたため、
遮る検査光路を選ぶことにより、リモコン信号の内容選択が可能となり、より複雑な制御をすることが可能となる。更に、所定時間内での検査光の遮断回数に基づいてリモコン信号の内容を変えることで被制御機器の動作を制御するようにしたため、所定時間内での検査光の遮断回数に基づいて、被制御機器の動作の種類を選択できるようになり、より複雑な制御をすることが可能となる。
【００１２】
更に、検査光の遮断継続時間長に基づいてリモコン信号の内容を変えることで被制御機器の動作を制御するようにしたため、検査光の遮断継続時間長に基づいて、被制御機器の動作の種類を選択できるようになる。被制御機器は、人不在時には動作させたくない居室時作動用途機器であって、同室には人体検出器（人体検知装置）を設け、人体検出器の人体検知結果、人が不在になると、送信器は検査光の送出を停止する一方で、居室時作動用途機器を動作停止させる旨のリモコン信号を発し、受信器は同リモコン信号を受信すると、居室時作動用途機器を動作停止させ、人体検出器の人体検知結果、人が在になると、送信器は検査光の送出を再開する一方で、居室時作動用途機器を動作再開させる旨のリモコン信号を発し、受信器は同リモコン信号を受信すると、居室時作動用途機器を動作再開させるようにしたため、被制御機器が人不在時には動作させたくない居室時作動用途機器である場合、人不在時に居室時作動用途機器を自動停止させることが可能となり、同時に、検査光送出のパワーを低くすることができる。
【００１３】
更に、被制御機器は、人不在時に動作するためのセキュリティ用途機器であって、同室には人体検出器を設け、人体検出器の人体検知結果、人が不在になると、送信器は検査光の送出を停止する一方で、セキュリティ用途機器を動作開始させる旨のリモコン信号を発し、受信器は同リモコン信号を受信すると、セキュリティ用途機器を動作開始させるようにしたため、被制御機器が人不在時に動作するためのセキュリティ用途機器である場合、人不在時にセキュリティ用途機器を自動起動させることが可能となり、同時に、検査光送出時のパワーを低くすることができる。
【発明を実施するための最良の形態】
【００１４】
図１、図２は、本願の請求項１に対応した第１の実施形態である無線リモコンシステム１である。このものは、図１に示すように、リモコン信号５を無線送出する送信器２と、送信器２より送出されたリモコン信号５を受信する受信器３と、受信器３受信したリモコン信号５に従って動作する被制御機器４と、を備えている。
【００１５】
送信器２は、リモコン信号５を無線送出するための送信アンテナ２１と、検査光６を送出する検査光発光部２２と、検査光発光部２２が送出し障害物７で反射した検査光６を受光する検査光受光部２３と、検査光６が検査光受光部２３に対して途切れることなく連続して、位相が急激に変化することもなく受光されているかどうかを判断する送信側信号処理部２４と、この送信側信号処理部２４によって出力された信号を変調・発振する変調・発振部２５ａと変調・発振部２５ａより送出された信号を増幅する信号増幅部２５ｂと信号を外部へリモコン信号５として送出する送信アンテナ２１を有する送信部２５と、を備えている。
【００１６】
ここで、検査光６が検査光受光部２３に対して、途切れることなく連続して、かつ、位相が急激に変化することもなく受光されている状態を検査光受光部２３が安定して検査光６を受光している状態である。そして、この状態を「待機状態」と呼称する。
【００１７】
受信器３は、リモコン信号５を受信する受信アンテナ３１と、受信アンテナ３１で受信したリモコン信号５を復調・復号化する復調・復号部３２と、復調・復号部３２で復調・復号化された信号を処理する受信側信号処理部３３とを備えている。
【００１８】
被制御機器４は、上述した受信器３を備え、受信器３が有する受信側信号処理部３３の出力する制御信号によって制御されるものである。
【００１９】
次に、この無線リモコンシステム１の動作について、図２のフローチャートに基づいて説明する。
【００２０】
最初に、送信器２の電源（図示せず）をオンさせると、送信器２の検査光発光部２２より検査光６が送出される。この検査光６は、発光光路上の適当な障害物７に反射し、検査光受光部２３によって受光される。もし適当な障害物７が無ければ、専用の反射板を作成し設置しておくとよい。
【００２１】
検査光受光部２３に入力された検査光６は、受信側信号処理部３３で処理される。この場合の信号処理は、例えば、検査光受光部２３が待機状態から検査光６が受光できなくなった場合に信号を送出するものである。具体的には、検査光受光部２３待機状態の場合、送信側信号処理部２４は、信号を出力しないが、検査光６が人の手などの障害物によって遮られ検査光受光部２３に検査光６が受光されなくなった場合、又は、検査光６の位相が急激に変化した場合、送信側信号処理部２４がそれを判断し、信号を出力する。送信側信号処理部２４より出力された信号は、送信部２５の中の変調・発振部２５ａに入力され、変調・発振される。そして、信号増幅部２５ｂにおいて増幅され、送信アンテナ２１によりリモコン信号５として送出される。
【００２２】
ここで、送信側信号処理部２４は、検査光受光部２３が検査光６の位相が急激に変化する場合、又は、受光不可の状態になると、その状態に応じた信号を送信アンテナ２１がリモコン信号５を送出する。この場合、検査光６を手で遮ったときの動作について詳しく説明する。
【００２３】
検査光６が安定して検査光受光部２３に受光されている状態で検査光６を手で遮ると、検査光６は手で反射され、検査光受光部２３に受光されなくなるか、或いは、受光された場合でも急激に位相が変化することになる。手で検査光６を遮ったままの状態では、検査光受光部２３が安定して検査光６を受光できないのは明らかなので、検査光６を遮っている手を退けると、検査光受光部２３に受光される検査光６の位相は再び急激にずれることとなるが、「安定して受光していた」状態からの位相の急激な変化を生じないので、送信側信号処理部２４は、検査光６が手で遮られたとは判断しない。
【００２４】
すなわち、検査光６を安定して受光できている状態と判断する閾値を設定しておく。例えば、検査光６が０．２秒以上、位相が変化することなく連続して受光できる状態が安定して受光できる状態とし、この状態のときに位相が変化することを検知するように設定しておくと、手を検査光６上から退かす場合の位相の変化は送信側信号処理部２４によって認識されず、安定状態のときに検査光６を手で遮ったときのみを認識することができるようになる。
【００２５】
以下、全ての文章において、検査光受光部２３が手などで遮られることによって、検査光６が受光できない状態、又は、急激な位相の変化が起こるのを送信側信号処理部２４が判断するのは上記の機能によるものである。
【００２６】
次に、被制御機器４の電源（図示せず）をオンさせると、受信器３の電源（図示せず）も自動的にオンする。受信器３の電源がオンすると、受信器３は受信アンテナ３１によって、送信器２より送出されるリモコン信号５を受信可能な状態となる。受信アンテナ３１によって受信されたリモコン信号５は、復調・復号部３２において、復調・復号され、受信側信号処理部３３で処理される。
【００２７】
この場合の処理は、例えば、受信するリモコン信号５の内容によって、被制御機器４に対する命令を変更したり、同じリモコン信号５を処理する場合でも、受信側信号処理部３３が被制御機器４の状態を監視しており、被制御機器４の状態により被制御機器４に対する命令を変更したりすることである。
【００２８】
例えば、受信側信号処理部３３がＡ又はＢという信号を受信したとき、それぞれの信号に応じて、被制御機器４の電源をオンさせたり、オフさせたりする。又は、受信側信号処理部３３が同じＡという信号を受信したとしても、被制御機器４がオンの場合はオフに、オフの場合はオンにするという制御をするのである。
【００２９】
なお、使用する被制御機器４の種類によっては、被制御機器４と受信器３の電源を別に
しても良い。
【００３０】
このように構成された無線リモコンシステム１は、送信器２の検査光発光部２２からの検査光６を手などで遮ることにより、検査光受光部２３が安定して検査光６を受光できなくなったことを送信側信号処理部２４が検出することで、リモコン信号５が送出され、そのリモコン信号５を受信器３が受信し、その信号を処理することにより、被制御機器４が制御されるので、手が汚れていたり、手が荷物などで塞がれていたりして、手が使えない状況であっても、被制御機器４を制御することができる。
【００３１】
更に、リモコンの場所は、変更することは可能であるが、自分の好みの場所に固定しておくために紛失する場合がほとんどなくなる。
【００３２】
更に、スイッチの代わりとなる送信器２と障害物７は、受信器３とは無線で接続されているため、使用する被制御機器４とスイッチ代わりとなる送信器２と障害物７とは同じ場所である必要が無く、レイアウト性が増す。
【００３３】
更に、スイッチの代わりとなる送信器２と障害物７との間を気軽に通過することも可能となる。
【００３４】
更に、この無線リモコンシステム１は簡易な動作で被制御機器４を制御することが可能である。
【００３５】
この場合の実用例としては、例えば、病院などで寝たきりの患者に対し、ナースコール用のスイッチを操作せずに簡単な動作でナースコールができるというように使用することができる。
【００３６】
図３、図４は、本願の請求項２に対応した第２の実施形態である無線リモコンシステム１である。このものは、図３に示すように、リモコン信号５を無線送出する送信器２と、送信器２より送出されたリモコン信号５を受信する受信器３と、受信器３受信したリモコン信号５に従って動作する被制御機器４と、を備えている。
【００３７】
この無線リモコンシステム１は、前述した第１の実施形態とは送信器２に新たな機能を付加したものであり、それ以外の構成要素は第１の実施形態と同様であるので説明は省略する。
【００３８】
送信器２は、第１の検査光６ａを発光させるための第１の検査光発光部２２ａと、第２の検査光６ｂを発光させる第２の検査光発光部２２ｂと、第１の検査光６ａを受光するための第１の検査光受光部２３ａと、第２の検査光６ｂを受光するための第２の検査光受光部２３ｂと、送信側信号処理部２４と、変調・発振部２５ａと信号増幅部２５ｂと送信アンテナ２１とを有する送信部２５と、を備えている。
【００３９】
次に、この無線リモコンシステム１の動作について、図４のフローチャートに基づいて説明する。
【００４０】
最初に、送信器２の電源（図示せず）をオンさせると、第１の検査光発光部２２ａと第２の検査光発光部２２ｂから第１の検査光６ａ、第２の検査光６ｂがそれぞれ送出される。これらの検査光６ａ、６ｂは、発光光路上の適当な障害物７に反射し、それぞれ検査光受光部２３ａ、２３ｂによって受光される。もし適当な障害物が無ければ、専用の反射板を作成し設置しておくとよい。
【００４１】
ここで、検査光６が検査光受光部２３に対して、途切れることなく連続して、かつ、位相が急激に変化することもなく受光されている状態を検査光受光部２３が安定して検査光６を受光している状態である。そして、この状態を「待機状態」と呼称する。
【００４２】
検査光受光部２３ａ、２３ｂに入力された検査光６ａ、６ｂは、送信側信号処理部２４で処理される。この処理内容は、例えば、最初に検査光６ａを遮り、次に検査光６ｂを遮る場合は、検査光受光部２３ａ、２３ｂの検査光６ａ、６ｂの非受光、又は急激に位相が変化した順番を判断して送信側信号処理部２４は信号を出力する。又は、最初に検査光６ｂを遮り、次に検査光６ａを遮る場合は、最初に検査光６ａを遮り、次に検査光６ｂを遮る場合とは異なる信号を出力することである。つまり、検査光受光部２３ａ、２３ｂに検査光６ａ、６ｂが安定して入力している場合、前記信号処理部は、信号を出力しないが、検査光６ａ、６ｂのどちらか一方又は両方の検査光が人の手などの障害物によって遮られ、検査光受光部２３ａ、２３ｂに検査光６ａ、６ｂが入力されなくなった場合、又は位相が急激に変化した場合、送信側信号処理部２４が変化のあった検査光６ａ、６ｂの種類、又はその順番を判断し、それぞれの状況に応じた信号を送出するのである。
【００４３】
そして、送信側信号処理部２４より信号が出力されると、この信号は送信部２５の中の変調・発振部２５ａに入力され、変調・発振される。そして、信号増幅部２５ｂにおいて増幅され、送信アンテナ２１により、リモコン信号５として送出される。
【００４４】
次に、被制御機器４の電源（図示せず）をオンさせると、受信器３の電源（図示せず）も自動的にオンする。
【００４５】
受信器３の電源がオンすると、受信器３は受信アンテナ３１によって、送信器２より送出されるリモコン信号５を受信可能な状態となる。受信アンテナ３１によって受信されたリモコン信号５は、復調・復号部３２において、復調・復号され、受信側信号処理部３３で処理される。この場合の処理とは、例えば、受信する信号の内容によって、被制御機器４に対する命令を変更する、又は、同じ信号を処理する場合でも、受信側信号処理部３３が被制御機器４の状態を監視しており、被制御機器４の状態により被制御機器４に対する命令を変更することである。
【００４６】
例えば、受信側信号処理部３３が検査光６ａ又は６ｂのどちらか一方の信号を受信した場合、それぞれの信号に応じて、被制御機器４の前記電源オン又はオフする。また、受信側信号処理部３３が同じ検査光６ａの信号を受信したとしても、被制御機器４の電源をオン状態からオフ状態にする（被制御機器４の電源がオフの場合は、電源をオンの状態にする）。
【００４７】
このように構成された無線リモコンシステム１は、複数の検査光の中でどれか一つを遮る又は複数を遮る場合でも遮る順番を変えることによって被制御機器４の動作を選択できるようにしたので、例えば、検査光路をＡ、Ｂの２つにした場合は、Ａのみを遮った場合、Ｂのみを遮った場合、Ａを遮り、そして、次にＢを遮った場合、Ｂを遮り、そして、次にＡを遮った場合の４種類の信号を送信することができ、より複雑な制御をおこなうことができると共に、光路を増やすことによって、より複雑な制御もおこなうことができる。
【００４８】
なお、被制御機器４と受信器３の電源を別にしても良い。
【００４９】
図５、図６は、本願の請求項３に対応した第３の実施形態である無線リモコンシステム１の動作の説明図である。このものは、前述した第１の実施形態とは送信器２の送信側信号処理部２４新たな機能を変えたものであり、構成要素は第１の実施形態と同様であるので説明は省略する。
【００５０】
送信側信号処理部２４は、検査光６が所定の時間内に遮る回数により被制御機器の動作を選択することができるものである。
【００５１】
次に、この無線リモコンシステム１の動作について、図５の動作説明図、及び、図６のフローチャートに基づいて説明する。
【００５２】
なお、送信側信号処理部２４が信号を出力した以降の動作は前述した第１の実施形態と同じなので説明は省略する。
【００５３】
最初に、送信器２の電源（図示せず）をオンさせると、送信器２の検査光発光部２２より検査光６が送出される。この検査光６は、発光光路上の適当な障害物７に反射し、検査光受光部２３によって受光される。もし適当な障害物７が無ければ、専用の反射板を作成し設置しておくとよい。つまり、検査光受光部２３が安定して検査光６を受光できている「待機状態」にする。
【００５４】
この状態から、検査光受光部２３に受光されている検査光６を手などで遮ってやり、検査光受光部２３が検査光６を受光できない、又は、急激に位相が変化する状態を作り、その状態がある一定時間の中で何回行われたかを送信側信号処理部２４がカウントし、その回数に応じた信号を出力するものである。
【００５５】
例えば、所定時間内に１回検査光６を遮ると、送信側信号処理部２４はＡ信号を出力するように、所定時間内に２回検査光６を遮ると、送信側信号処理部２４はＢ信号を出力するように、また、所定時間内に３回検査光６を遮ると、送信側信号処理部２４はＣ信号を出力するように設定する。
【００５６】
このとき、図５に示すように、所定時間を１秒とし、検査光受光部２３の受光可と受光不可の境界の時間を０．０５秒とする。
【００５７】
待機状態（イ）から、手などで検査光６を０．０５秒以上遮る（ロ）（この場合の遮る時間は０．２秒）、
次に、検査光受光部２３が受光不可の状態を作ってやる。このとき、送信側信号処理部２４は、遮られてから所定時間（この場合は１秒）をカウントし始める。そして、手を退け、０．０５秒以上検査光受光部２３が検査光６を受光できるようにする（ハ）（この場合は０．３秒）、そして、再び手で検査光６を０．０５秒以上遮る（ニ）（この場合は０．１秒）。そして、手を退け、０．０５秒以上検査光受光部２３が検査光６を受光できるようにする（ホ）。検査光６が遮られてから１秒が経過すると、送信側信号処理部２４はある所定時間をカウントし始めてから何度受光不可状態があったかを数え、その回数に応じた信号を送出する。この場合は、２回、受光不可状態があったため、送信側信号処理部２４はＢ信号を出力する。
【００５８】
このように構成された無線リモコンシステム１は、送信器２における検査光発光部２２からの検査光６を手などで１回、又は複数回遮ることにより、送信側信号処理部２４はそれに応じた信号を出力できるようにしたため、前述した第１の実施形態、又は、第２の実施形態の場合の効果に加え、第２の実施形態の場合とは異なる手段を用いて、第１の実施形態のよりも複雑な制御をおこなうことができるようになり、
更に、第２の実施形態と組み合わせることにより、もっと、より複雑な制御もおこなうことができる。
【００５９】
図７、図８は、本願の請求項４に対応した第４の実施形態である無線リモコンシステム１である。このものは、前述した第１の実施形態とは送信器２の送信側信号処理部２４新たな機能を変えたものであり、構成要素は第１の実施形態と同様であるので説明は省略する。
【００６０】
送信側信号処理部２４は、検査光６が遮る時間により被制御機器の動作を選択することができるものである。
【００６１】
次に、この無線リモコンシステム１の動作について説明する。この動作は、送信側信号処理部２４が信号を出力した以降の動作は前述した第１の実施形態と同じなので説明は省略する。
【００６２】
最初に、送信器２の電源（図示せず）をオンさせると、送信器２の検査光発光部２２より検査光６が送出される。この検査光６は、発光光路上の適当な障害物７に反射し、検査光受光部２３によって受光される。もし適当な障害物７が無ければ、専用の反射板を作成し設置しておくとよい。つまり、検査光受光部２３が安定して検査光６を受光できている「待機状態」にする。
【００６３】
この待機状態から、検査光受光部２３に受光されている検査光６を手などで遮って、検査光受光部２３が検査光６を受光できない、もしくは位相が急激にずれる状態を作ってやり、その状態がどのくらいの時間続いたかを送信側信号処理部２４が測定し、それに応じた信号を出力するのである
例えば、図７に示すように、遮断継続時間の閾値を１秒、３秒の２つとすると、遮る時間が１秒未満のとき、送信側信号処理部２４はＡ信号を、１秒以上３秒未満のときはＢ信号を、３秒以上のときはＣ信号を出力するように設定する。この場合の動作について、図７の動作説明図、及び、図８のフローチャートに基づいて説明する。
【００６４】
この場合、待機状態（イ）から、手などで検査光６を遮って（この場合の時間は約２秒ロ）、検査光受光部２３が受光不可、又は、急激に位相が変化する状態を作ってやる。
【００６５】
そして、手を退け、受光可能な状態（ハ）にしてやる。送信側信号処理部２４は、受光不可の状態から受光可能な状態になったと判断すると、受光不可状態の時間のデータから、その時間に応じた信号を出力する。図７の場合は、２秒間、受光不可状態であったため送信側信号処理部２４はＢ信号を出力する。
【００６６】
このように構成された無線リモコンシステム１は、検査光を手などで遮る時間によって、送信側信号処理部２４に異なる信号を出力できるようにしたため、第１の実施形態から第３の実施形態の場合の効果に加え、第１の実施形態、第２の実施形態のときとは異なる手段を用いて、第１の実施形態のときよりも複雑な制御をおこなうことができ、さらに第２の実施形態、又は、第３の実施形態と組み合わせることにより、もっとより複雑な制御もおこなうことができる。
【００６７】
図９、図１０は、本願の請求項５に対応した第５の実施形態である無線リモコンシステム１である。この無線リモコンシステム１は、前述した第１の実施形態に人体検出器８を設けたものであり、それ以外の構成要素は第１の実施形態と同様であるので説明は省略する。
【００６８】
人体検出器８は、例えば、赤外線センサを用いたものであり、人体が放射する赤外線が照射されると、出力信号を出力するものである。
【００６９】
送信器２がリモコン信号５を送出する場合は、人体検出器８が人体を検知していない状態から人体を検知した状態、又は、人体検出器８が人体を検知している状態から人体を検知しなくなる状態である。
【００７０】
なお、人体検出器８が人体を検知している場合は、前述した第１の実施形態と同じ動作をするので説明は省略する。
【００７１】
最初に、人体検出器８が人体を検知している状態から人体を検知しない状態になった場合、図５のフローチャートに示すように、以下のような動作を行う。
【００７２】
人体検出器８は、人体検知の状態で、人体が非検知になると「検査光６の送出停止」と「被制御機器４の電源オフ」の２つの意味を持つ信号を送信器２に対して送出する。この信号によって送信器２は、検査光発光部２２より送出されていた検査光６の送出を停止すると共に、送信側信号処理部２４に対し、「被制御機器４の電源オフ」の旨の信号を送出し、この旨の信号を受け取った送信側信号処理部２４は、同旨の信号を送出し、結果として、送信器２は、送信アンテナ２１よりリモコン信号５を「被制御機器４の電源オフ」の旨の信号を受信器３に送る。
【００７３】
受信器３では、受信アンテナ３１で、リモコン信号５を受信し、復調・復号部３２で「被制御機器４の電源オフ」の旨の信号を取り出し、受信側信号処理部３３に送る。受信側信号処理部３３では、「被制御機器４の電源オフ」の旨のリモコン信号５を受け取ると、被制御機器４の電源をオフにする。
【００７４】
この場合の動作として、例えば、通常の被制御機器４として照明を使用する場合、通常は検査光発光部２２から送出される検査光６を遮ることによって照明をオン・オフ、豆電球等に切り替えていたのが、その部屋の人間が全て外出することによって、人体検出器８が人の不在を検知し、自動的に照明をオフにすることができる。
【００７５】
次に、人体検出器８が人体を検知していない状態から人体を検知した状態変わるときの動作について説明する。
【００７６】
人体検出器８が人体を検知していない状態では、送信器２における検査光６の発光は停止しており、被制御機器４は、例えば、省エネルギーモードにより消費電力を低減させる状態や、あるいは、受信器３の電源が被制御機器４と別系列で取ってある場合は、被制御機器４の電源がオフとなっている（すなわち、受信器３は、送信器２からのリモコン信号５だけを受信きる状態になっている）。
【００７７】
この状態のときに、人体検出器８が人体を検知すると、人体検出器８は、「送信器２からの検査光６の送出開始」と「被制御機器４の電源オン」の２つの意味を持つ信号を送信器２に対して送出する。この信号によって送信器２は、検査光発光部２２より検査光６の送出を開始し、さらに、送信側信号処理部２４に対し、「被制御機器４の電源オン」の旨の信号を送出し、この旨の信号を受け取った送信側信号処理部２４は、同旨の信号を送出し、結果として、送信器２は、送信アンテナ２１は、リモコン信号５として「被制御機器４の電源オン」の旨の信号を受信器３に送る。
【００７８】
受信器３では、受信アンテナ３１で、リモコン信号５を受信し、復調・復号部３２で「被制御機器４の電源オン」の旨の信号を取り出し、受信側信号処理部３３に送る。受信側信号処理部３３では、「被制御機器４の電源オン」の旨の信号を受け取ると、被制御機器４の電源をオンにする。
【００７９】
例えば、通常の被制御機器４として照明を使用する場合、通常は送信器２から送出される検査光６を遮ることによって照明をオン・オフ・豆電球等に切り替えていたのが、人体検出器８が人を検知していないとき、人間がその部屋に入ることによって、人体検出器８が人の存在を検知し、自動的に照明をオンにすることができる。
【００８０】
ただし、人体検出器８が、人体を検出しているときに被制御機器４が自動的にオンになる必要が無い場合は、人体検出器８が人体を非検知の状態から人体を検知した状態に変化した場合、「送信器２からの検査光６の送出開始」の旨の信号のみを送出し、人間が必要なときに検査光６を手などで遮って、被制御機器４の電源を入れることもできる。
【００８１】
この請求項５における無線リモコンシステム１は請求項１から４のいずれかに従属であるため、以下、検査光６が発光されると、請求項１から４のいずれかと同じ動作をする。
【００８２】
このように構成された無線リモコンシステム１は、特に、被制御機器４が人不在時には動作させたくない、例えば、居室時差動用途機器である場合、人不在時に居室時差動用途機器を自動停止させることが可能となったため、請求項１から４のときの効果に加え、人不在時には単なる浪費となってしまう検査光６の送出によるパワーの省エネルギーにする効果が生まれる。
【００８３】
図１１、図１２は、本願の請求項６に対応した第６の実施形態である無線リモコンシステム１である。この無線リモコンシステム１は、前述した第５の実施形態に人体検出器８と、被制御機器としてセキュリティ用途機器４ａと、を設けたものであり、それ以外の構成要素は第１の実施形態と同様であるので説明は省略する。
【００８４】
人体検出器８は、例えば、赤外線センサを用いたものであり、人体が放射する赤外線が照射されると、出力信号を出力するものである。
【００８５】
セキュリティ用途機器４ａは、人不在時に動作する防犯対策用の機器である。
【００８６】
人体検出器８が信号を送出する場合は、人体検出器８が人体を検知していない状態から人体を検知した状態、あるいは、人体検出器８が人体を検知している状態から人体を検知しなくなる状態である。
【００８７】
最初に、人体検出器８が人体を検知している状態から人体を検知しない状態になった場合、図５のフローチャートに示すように、以下のような動作を行う。
【００８８】
なお、人体検出器８が人体を検知している間は前述した請求項１と同じ動作をするので説明は省略する。
【００８９】
人体検出器８が人体を検知している状態から人体を検知しない状態に変わった場合は、次のような動作を行う。
【００９０】
人体検出器８が、人体検知から人体非検知に変わると、人体検出器８は、送信器２に対して「被制御機器４の電源オフ」と「送信器２からの検査光６の送出停止」、「セキュリティ用途機器４ａの動作開始」の３つの意味を持つ信号を送出する。この信号によって送信器２は、検査光発光部２２より送出されていた検査光６の送出を停止し、さらに送信側信号処理部２４に対し、「被制御機器４の電源オフ」と「セキュリティ用途機器４ａの動作開始」の２つの意味を持つ信号を送出し、この旨の信号を受け取った送信側信号処理部２４は同意味の旨の信号を送出し、結果、送信器２の送信アンテナ２１からリモコン信号５として被制御機器４の電源オフ」と「セキュリティ用途機器４ａ動作開始」の２つの意味を持つ信号が送出される。
【００９１】
一方、受信器３では、受信アンテナ３１でリモコン信号５を受信し、復調・復号部３２でリモコン信号５より、「被制御機器４の電源オフ」「セキュリティ用途機器４ａの動作開始」の２つの意味を持つリモコン信号５を受信し、受信側信号処理部３３に送る。この受信側信号処理部３３では、「被制御機器４の電源オフ」「セキュリティ用途機器４ａの動作開始」の旨の信号を受け取ると、今まで制御していた被制御機器４の電源をオフさせると供に、セキュリティ用途機器４ａの電源をオンにする。
【００９２】
例えば、通常の被制御機器４として照明器具を、セキュリティ用途機器４ａとして窓の振動センサを、部屋に配置し使用した場合、通常は、送信器２から送出される検査光６を遮ることによって照明器具をオン・オフ・豆電球等に切り替えていたのが、その部屋の人間が全て外出することによって、人体検出器が‘人の不在’を検知し、照明器具をオフに切り替え、さらに窓の振動センサをオンにするものである。
【００９３】
次に、人体検出器８が人体を検知していない状態から人体を検知した状態変わるときの動作について説明する。
【００９４】
人体検出器８が人体を検知していない状態では、送信器２における検査光６の発光は停止しており、被制御機器４も省エネルギーモード、あるいは、受信器３の電源が被制御機器４とは別系列で取ってある場合は、被制御機器４の電源がオフとなっている。すなわち、送信器２からのリモコン信号５だけが受信できるような状態になっている。更に、セキュリティ用途機器４ａが動作している状態である。
【００９５】
この状態のときに人体検出器８が人体を検知すると、人体検出器８は、「セキュリティ用途機器の電源オフ」と「送信器２からの検査光６の送出開始」「被制御機器４の電源オン」の３つの意味を持つ信号を送信器２に対して送出する。この信号によって送信器２は、検査光発光部２２より検査光６の送出を開始し、さらに送信側信号処理部２４に対し、「セキュリティ用途機器４ａの電源オフ」「被制御機器４の電源オン」の旨のリモコン信号５を送出し、この旨のリモコン信号５を受け取った受信側信号処理部３３は、同旨の信号を送出し、結果、リモコン信号５として「セキュリティ用途機器の電源オフ」「被制御機器の電源オン」の旨の信号が受信器３に送られる。
【００９６】
受信器３では、受信アンテナ３１でリモコン信号５を受信し、復調・復号部３２で「セキュリティ用途機器４ａの電源オフ」「被制御機器４の電源オン」の旨の信号を取り出し、受信側信号処理部３３に送る。この受信側信号処理部３３では、「セキュリティ用途機器４ａの電源オフ」「被制御機器４の電源オン」の旨の信号を受け取ると、セキュリティ用途機器４ａの電源オフし、被制御機器４の電源をオンにする。
【００９７】
ただし、人体検出器８は、人体を検知した状態で、被制御機器４が自動的にオンになる必要が無い場合で人体検出器８が人体非検知の状態で人体を検知した場合は、「セキュリティ用途機器４ａの電源オフ」と「送信器２からの検査光６の送出開始」の旨の信号のみを送出し、人間が必要なときに検査光６を手などで遮って、被制御機器４の電源を入れることも可能である。
【００９８】
この実施携帯の無線リモコンシステムは、検査光６が発光されると、第１の実施形態と同じ動作をするので説明は省略する。ただし、人体検出器８が「人体検知」の状態から「人体非検知」の状態に変化すると、上術した人体検出器８が人体を検知している状態から人体を検知しない状態に変わった場合は、次のような動作を行う。
【００９９】
このように構成された無線リモコンシステム１は、人体の有無によって、通常使用する被制御機器４とセキュリティ用途機器４ａの２種類を使い分けることができるようにしたため、人不在時にセキュリティ用途機器を自動起動させることができる。
【０１００】
なお、ここでは人不在時動作の被制御機器４としてセキュリティ用途機器４ａを提案したが、セキュリティ用途機器４ａに関わらず人不在時に有用な被制御機器４をセキュリティ用途機器４ａの代わりに使用することも可能である。
【図面の簡単な説明】
【０１０１】
【図１】第１の実施形態のシステム構成図である。
【図２】同上のフローチャートである。
【図３】第２の実施形態のシステム構成図である。
【図４】同上のフローチャートである。
【図５】第３の実施形態の動作説明図である。
【図６】同上のフローチャートである。
【図７】第４の実施形態の動作説明図である。
【図８】同上のフローチャートである。
【図９】第５の実施形態のフローチャートである。
【図１０】同上の簡易ブロック図である。
【図１１】第６の実施形態のフローチャートである。
【図１２】同上の簡易ブロック図である。
【図１３】特開２０００−０４５３５５号公報に記載された従来例のシステム構成図である。
【符号の説明】
【０１０２】
１      無線リモコンシステム
２      送信器
３      受信器
４      被制御機器
４ａ    セキュリティ用途機器
５      リモコン信号
６      検査光
７      障害物
８      人体検出器
２１    送信アンテナ
２２    検査光発光部
２３    検査光受光部
２４    信号処理部
２５    送信部
２５ａ  変調・発信部
２５ｂ  信号増幅部
３１    受信アンテナ
３２    復調・複号部
３３    信号処理部
【図１】
2005277829.tif 000003
【図２】
2005277829.tif 000004
【図３】
2005277829.tif 000005
【図４】
2005277829.tif 000006
【図５】
2005277829.tif 000007
【図６】
2005277829.tif 000008
【図７】
2005277829.tif 000009
【図８】
2005277829.tif 000010
【図９】
2005277829.tif 000011
【図１０】
2005277829.tif 000012
【図１１】
2005277829.tif 000013
【図１２】
2005277829.tif 000014
【図１３】
2005277829.tif 000015